(57)【特許請求の範囲】
【請求項１】
塵芥を濾過する集塵ユニットを有する真空掃除機の本体の内部に設けられるモータハウジングにおいて、
上部が開口されたケーシング（２１０）と、
該ケーシングの一側にヒンジで連結され、ケーシングを開閉するカバー（２１２）と、
前記ケーシングにカバーを閉めた状態を維持する係合手段と、
前記ケーシングの一側面に設けられ、前記集塵ユニットからの空気を吸い込む吸込部（２２０）と、
前記ケーシングの他側面に設けられ、内部の空気を外部に排気させる排気部（２２２）とを備えたことを特徴とする真空掃除機のモータハウジング。
【請求項２】
前記係合手段は、前記カバーの後端部に設けられる係脱部材（２１６）と、前記ケーシングの後面に設けられ、前記係脱部材に係合される係止突起（２１８）とを備えたことを特徴とする請求項１に記載の真空掃除機のモータハウジング。
【請求項３】
さらに、前記カバーの側面に設けられる係脱部材（２２６）と、ケーシングの側面に設けられ、前記係脱部材に係合される係止突起を備えたことを特徴とする請求項２に記載の真空掃除機のモータハウジング。
【請求項４】
前記吸込部は、モータハウジングの後面に設けられ、前記排気部は、モータハウジングの一側面に設けられていることを特徴とする請求項１に記載の真空掃除機のモータハウジング。
【請求項５】
前記ケーシングの上段部に接触するカバーの下段部には、密閉のためのパッキング部材が設けられていることを特徴とする請求項１に記載の真空掃除機のモータハウジング。
【発明の詳細な説明】
【０００１】
【発明の属する技術分野】
本発明は、真空掃除機に関し、より詳しくは真空掃除機の吸引力を発生するモータを内部に組み込み易く、且つ、掃除機の本体の内部構成をより簡素化することができる真空掃除機のモータハウジングに関する。
【０００２】
【従来の技術】
先ず、一般の真空掃除機の全体の構成について図３を参照して説明する。図示のように、真空掃除機の本体は、上部及び下部をそれぞれ形成する上部ケーシング１１０と下部ケーシング１７０とから構成されている。また、上部ケーシング１１０と下部ケーシング１７０との内部には後述する部品が組み込まれている。前記下部ケーシング１７０の上部前方には、モータハウジング１６０が設けられ、後方には集塵ユニット１４０が設けられている。前記集塵ユニット１４０は、掃除機の本体に流入された塵芥を含む空気のうち該塵芥を濾過した後、濾過された空気を前記モータハウジング１６０を経て外部に排気させている。
【０００３】
前記集塵ユニット１４０は、掃除機の本体に吸い込まれる空気中に含まれた塵芥を濾過することができるものであれば、いずれの構成のものも適用することができる。例えば、前記集塵ユニット１４０は、サイクロン方式による一次集塵と濾過による二次集塵とを同時に行うものであってもよい。
また、前記下部ケーシング１７０の前方部分には、真空掃除機で吸引力を発生させる駆動モータ１５０が組み込まれるモータハウジング１６０が設けられている。前記モータハウジング１６０はその上段部が開口された状態で成形され、その内部に組み込まれた駆動モータ１５０の吸引力によって、塵埃等の塵芥を含む空気が前記集塵ユニット１４０の内部に流入される。
【０００４】
このように発生した吸引力によって、吸込みノズルから延長管及び連結ホースを介して流入される塵芥を含む空気は、上部ケーシング１１０の前方に設けられた吸込部１１２から真空掃除機の本体の内部に流入される。このように流入された空気は、集塵ユニット１４０の内部で濾過されて塵芥が除去される。そして、塵芥が除去された空気は、集塵ユニット１４０の上部に設けられた出口１４２から排気されながらモータハウジング１６０内に導かれる。前記モータハウジング１６０は、上段部が開放された状態となっているので、上段部から流入される空気は駆動モータ１５０を経て放熱させた後、モータハウジング１６０の側面に設けられた排気部１６２から排気される。
【０００５】
前記集塵ユニット１４０とモータハウジング１６０との上部には、中間カバー１２０が設けられている。前記中間カバー１２０は、前記モータハウジング１６０と集塵ユニット１４０との上面を共にカバーするようになっている。前記モータハウジング１６０は、前記中間カバー１２０の一側モータハウジングカバー部１２４によって、上部が覆われ、吸込部１２５と排気部１６２を除いた部分が密閉されて吸引力を発生させるようになる。
【０００６】
また、前記中間カバー１２０のスイッチ装着孔１２８には、圧力スイッチＢが装着されている。前記圧力スイッチＢは、モータハウジング１６０の内部の圧力を測定し、圧力が下がると、使用者に真空掃除機の異常状態を報知するようになっている。
【０００７】
前記モータハウジングカバー部１２４には、モータハウジングと連通するダンパー装着孔１２６と、スイッチ装着孔１２８がそれぞれ設けられている。前記ダンパー装着孔１２６にはダンパーが設けられている。前記ダンパーは、前記モータハウジングカバー部１２４の上部と下部の圧力差によって開かれるものであり、前記中間カバー１２０の上部の圧力が高く下部の圧力が低いと開かれ、前記中間カバー１２０の下部（即ち、モータハウジングの内部）に空気が流入されるようになっている。
【０００８】
このような従来の構成によると、モータハウジング１６０は、モータハウジングカバー部１２４と密着して１つの空間を形成し、この空間の内部に設けられる駆動モータ１５０によって吸引力を発生するようになる。従って、前記中間カバー１２０のような他の構成部品を必要とするので、実質的に掃除機本体の内部の部品点数の増加を招くという問題があった。
また、前記モータハウジング１６０と中間カバー１２０は、スクリューで係合されるが、このよう締付工程も全体の生産性を低減させる問題となった。
【０００９】
【発明が解決しようとする課題】
本発明は、上記問題点に鑑みなされたものであり、掃除機の本体の内部構成をより簡単にすることができるモータハウジングを提供することを目的とする。
【００１０】
【課題を解決するための手段】
上記の目的を達成するために、本発明に係る真空掃除機のモータハウジングは、塵芥を濾過する集塵ユニットを有する真空掃除機の本体の内部に設けられるモータハウジングであって、上部が開口されたケーシングと、該ケーシングの一側にヒンジで連結され、ケーシングを開閉するカバーと、該ケーシングにカバーを閉めた状態を維持する係合手段と、前記ケーシングの一側面に設けられ、前記集塵ユニットからの空気を吸い込む吸込部と、前記ケーシングの他側面に設けられ、内部の空気を外部に排気させる排気部とを備えている。
【００１１】
また、前記係合手段は、カバーの後端部に設けられる係脱部材と、ケーシングの後面に設けられ、前記係脱部材に係合される係止突起とから構成されている。そして、前記カバーの側面に設けられる係脱部材と、ケーシングの側面に設けられ、前記係脱部材に係合される係止突起をさらに備えていてもよい。
また、前記吸込部は、モータハウジングの後面に設けられ、前記排気部は、モータハウジングの一側面に設けられている。
さらに、前記ケーシングの上段部に接触するカバーの下段部には、密閉のためのパッキング部材が設けられている。
【００１２】
【発明の実施の形態】
以下、本発明の好ましい実施の形態を、添付図面に基づいて詳しく説明する。図１は、本発明によるモータハウジングをその後面からみた斜視図である。図１を参照して、本発明によるモータハウジング２００について詳述する。図示のように、モータハウジング２００は、上段部が開口されたケーシング２１０と、該ケーシング２１０の開口された上段部を開閉するカバー２１２とを備えている。前記ケーシング２１０の内部には、開口された上段部から収容されるモータＭが設けられている。前記モータＭは、真空掃除機において塵芥を含む空気を吸い込む吸引力を発生させるものである。
【００１３】
また、前記ケーシング２１０の一側面（図示では、後面）には、複数の通気孔からなる吸込部２２０が設けられている。前記吸込部２２０は、図２に示すような集塵ユニット２６０を通じて塵芥が濾過された空気が、モータハウジング２００の内部に流入される部分である。このように吸込部２２０から吸い込まれる空気は、前記モータＭを経ながらこれを冷却させるようになる。
【００１４】
また、前記ケーシング２１０の他側面（図示では、側面）には、複数の通気孔からなる排気部２２２が設けられている。前記排気部２２２は、吸込部２２０からモータハウジング２００の内部に流入された空気がモータＭを冷却させた後、排気される部分である。また、この排気部２２２は、真空掃除機の本体の側面に設けられる排気部２７０を通じて排気されるようになる。
【００１５】
前記ケーシング２１０の開口された上部は、カバー２１２により開閉される。即ち、前記カバー２１２とケーシング２１０は、ヒンジ軸２１４によって回動可能に結合されているので、カバー２１２は、ヒンジ軸２１４を中心に回動しながら、前記ケーシング２１０を開閉することができる。
【００１６】
また、前記カバー２１２の後端部には、係脱部材２１６が設けられており、ケーシング２１０の後端面には、前記係脱部材２１６に係合される係止突起２１８が設けられている。従って、前記カバー２１２がヒンジ軸を中心に前記ケーシング２１０の上段部を覆うと、前記係脱部材２１６が係止突起２１８に係合されることにより、前記ケーシング２１０にカバー２１２を閉めた状態を維持することができる。
【００１７】
また、後端部に設けられた係脱部材２１６の他にも、前記カバー２１２の側面部には、他の係脱部材２２６が設けられており、この係脱部材２２６は、前記ケーシング２１０にカバー２１２を閉めるとき、ケーシング２１０の側面に設けられた係止突起（図示せず）に係合され、より堅固にケーシング２１０にカバー２１２を閉めるようになる。
【００１８】
このように前記ケーシング２１０にカバー２１２を閉めた状態では、前記吸込部２２０及び排気部２２２を除いては、前記ケーシング２１０は完全に密閉されなければならない。従って、このような密閉のために、前記カバー２１２の底縁部にはスポンジ等の伸縮性のある材質からなるパッキング部材２２４が取り付けられている。この構成により、ケーシング２１０にカバー２１２を閉めると、前記パッキング部材２２４が圧縮されながら、接触する部分をより確実に密閉させることができる。
【００１９】
そして、本発明によるモータハウジング２００の一側面（図示では、後端面）には、モータハウジングの内圧を感知するための圧力スイッチが設けられるための圧力スイッチ装着孔２３２と、モータハウジングの内圧が低圧になると、外部からモータハウジングの内部に空気を吹き込むためのダンパーを設けるためのダンパー装着孔２３４が設けられている。
【００２０】
次に、このような構成を有する本発明によるモータハウジング２００を備える掃除機の本体の全体構成について、図２を参照して説明する。図２において、前記モータハウジング２００を開閉するカバー２１２は図示を省略している。
図示のように、本発明のモータハウジング２００は、真空掃除機の本体の上部ケーシング３１０と下部ケーシング３２０との間に設けられている。実際に、前記モータハウジング２００は、下部ケーシング３２０の上側面に載せられた状態で固定され、その上部には上部ケーシング３１０が下部ケーシング３２０にスクリューによって締め付けられている。
【００２１】
また、前記モータハウジング２００の後方部には、集塵ユニット２６０が着脱可能に設けられている。
このような構成から明らかなように、本発明によるモータハウジング２００は、上部ケーシング３１０と下部ケーシング３２０との間に設けられ、吸込部２２０と排気部２２２を除いた部分に密閉可能に設けられている。従って、モータハウジングの内部を密閉させるための他の構成を必要とせず、全体として内部構成を簡単にすることができる。
【００２２】
真空掃除機の全体動作をみると、前記モータＭが駆動すると、吸引力が発生する。この吸引力によって、塵芥を含む空気は、吸込みノズル、延長管、連結ホースを経て上部ケーシング３１０に設けられている吸込孔３１２を介して流入される。このように流入された空気は、集塵ユニット２６０の内部に入って塵芥が濾過される。また、この濾過された空気は、吸込部２２０を介してモータハウジング２００の内部に流入される。モータハウジング２００の内部でモータＭを冷却させた後、空気は排気部２２２から外部に排気される。
【００２３】
以上のような本発明によるモータハウジングは、上段部が開口されたケーシング２１０と、前記ケーシング２１０にヒンジで連結され開閉されるカバー２１２とを備えることを基本的な技術的思想としていることが分かる。
このような本発明の基本的な技術的思想を逸脱しない範囲内で、当業界の通常の知識を有する者にとっては、他の多くの変更が可能であろう。また、本発明は、添付の特許請求の範囲により解釈されるべきであることは言うまでもない。
【００２４】
【発明の効果】
以上のように、本発明のモータハウジングによると、真空掃除機の本体の内部構成がより簡単になる。従って、構成部品点数の減少及び組立工程における生産性の向上による効果を期待することができる。
【図面の簡単な説明】
【図１】本発明によるモータハウジングを示す後面斜視図である。
【図２】本発明による真空掃除機を示す分解斜視図である。
【図３】一般の真空掃除機を示す分解斜視図である。
【符号の説明】
２００…モータハウジング
２１０…ケーシング
２１２…カバー
２１４…ヒンジ軸
２１６…係脱部材
２１８…係止突起
２２０…吸込部
２２２…排気部
２２６…係脱部材
【図１】
0003595314.tif 000002
【図２】
0003595314.tif 000003
【図３】
0003595314.tif 000004